(57)【要約】【課題】取付手段の一方向の他方側の差込部が被取付手段に形成された差込口に差し込まれ、取付手段の一方向の一方側の固定部が被取付手段に固定されることで取付手段が、被取付手段に取り付けられる場合と比して、取付手段が被取付手段に対してがたつくのを抑制することができる取付構造、及び画像形成装置を得る。【解決手段】取付手段の一方向の他方側の部分には、取付手段の基部から板部分に形成された貫通部を通して板部分の裏面側に配置されて裏面に押し付けられている押付部が形成されている。【選択図】図１
2020013017.tif 000002
【特許請求の範囲】
【請求項１】
表裏を貫通する貫通部が形成された板部分を有する被取付手段と、
前記被取付手段の表面に取り付けられる基部を有する取付手段であって、前記板部分の厚さ方向から見て、一方向の一方側の部分には固定手段によって前記表面側から前記被取付手段に固定されている固定部が形成され、前記一方向の他方側の部分には前記基部から前記貫通部を通して前記板部分の裏面側に配置されて前記裏面に押し付けられている押付部が形成されている取付手段と、
を備える取付構造。
【請求項２】
前記取付手段は、前記一方向に延びており、
前記押付部には、前記裏面と接触する接触部が形成されており、前記接触部は、前記一方向に対して交差する交差方向において、少なくとも前記押付部の一方側の部分及び他方側の部分に配置されている請求項１に取付構造。
【請求項３】
前記接触部は、前記交差方向に延びている請求項２に取付構造。
【請求項４】
前記押付部には、前記被取付手段側に突出している突出部が形成されており、
前記被取付手段には、前記貫通部側が開放されると共に前記突出部が配置され、前記一方向に対して交差する交差方向における前記突出部の位置を規制する溝部が形成されている請求項１〜３の何れか１項に取付構造。
【請求項５】
前記被取付手段には、前記取付手段を前記一方向の一方側から他方側へ移動させて前記突出部を前記溝部に配置させる場合に、前記突出部を前記溝部に案内する案内部が形成されている請求項４に記載の取付構造。
【請求項６】
前記押付部は、前記板部分の前記裏面に板面が対向した板状であると共に上面に前記突出部が形成された本体部と、前記本体部の下面から突出すると共に前記厚さ方向から見て前記溝部の溝幅と比して大きくされた他の突出部とを備える請求項４又は５に記載の取付構造。
【請求項７】
前記取付手段の前記固定部には、前記被取付手段の表面側を向いた凹部又は凸部が形成されており、
前記被取付手段には、前記取付手段の凹部又は凸部と嵌め合う凸部又は凹部が形成されている請求項４〜６の何れか１項に記載の取付構造。
【請求項８】
前記取付手段の前記突出部が前記被取付手段の前記溝部に配置され、前記取付手段の前記固定部が、前記厚さ方向で前記被取付手段から離間した状態で、前記取付手段の前記固定部を前記被取付手段に近接させる場合に、前記固定部に形成された凹部又は凸部が、前記被取付手段の凸部又は凹部と嵌め合うように、前記固定部の前記交差方向における移動を制限する制限手段を備える請求項７に記載の取付構造。
【請求項９】
前記制限手段は、前記取付手段において前記一方向の中央側の部分に形成され、前記被取付手段側に突出する突起と、前記被取付手段に形成され、前記突起が挿入される挿入孔とを備え、
前記突起の前記挿入孔への挿入量は、前記固定部に形成された凹部又は凸部が、前記被取付手段の凸部又は凹部と嵌め合う嵌合量と比して、多い請求項８に記載の取付構造。
【請求項１０】
画像を形成する画像形成手段を備え、
前記取付手段は、前記画像形成手段に作用する機能部品であって、
前記機能部品が前記被取付手段に請求項１〜８の何れか１項に取付構造によって取り付けられている画像形成装置。
【請求項１１】
各部を制御する制御基板を備え、
前記機能部品は、前記制御基板の板面に沿って空気の流れを生じさせるファンである請求項１０に記載の画像形成装置。
【発明の詳細な説明】
【技術分野】
【０００１】
本発明は、取付構造、及び画像形成装置に関する。
【背景技術】
【０００２】
特許文献１の画像形成装置は、装置本体内の空気を外部に排気する排気ファンと、排気ファンの排気を装置本体の外側面に形成された排気口に導く排気ダクトと、排気口に隣接した装置本体の外側面より凹んだ凹部からなり、外部と電気的に接続するための接続用凹部と、排気ダクトの接続用凹部側に位置する側面に開口され、排気口から排出される空気の一部を接続用凹部側へ排出する補助排気用の開口部とを備える。
【先行技術文献】
【特許文献】
【０００３】
【特許文献１】特開２０１８−０１３７５７号公報
【発明の概要】
【発明が解決しようとする課題】
【０００４】
板部分を有する被取付手段に取付手段を取り付けることがある。このような取付手段では、例えば、被取付手段の板部分の厚さ方向から見て、取付手段において一方向の一方側の部分には、固定手段によっての板部分の表面側から被取付手段に固定される固定部が形成されている。さらに、取付手段において一方向の他方側の部分には、被取付手段に形成された差込口に差し込まれる差込部が形成されている。
【０００５】
このような取付構造においては、取付手段の差込部を被取付手段の差込口に差し込んだ状態で、取付手段の固定部を固定手段によって被取付手段に固定することで、取付手段が被取付手段に取り付けられる。しかし、このような取付構造では、差込部が差込口に対して移動してしまうことがあり、取付手段が被取付手段に対してがたついてしまう。
【０００６】
本発明の課題は、取付手段の一方向の他方側の差込部が被取付手段に形成された差込口に差し込まれ、取付手段の一方向の一方側の固定部が被取付手段に固定されることで取付手段が、被取付手段に取り付けられる場合と比して、取付手段が被取付手段に対してがたつくのを抑制することである。
【課題を解決するための手段】
【０００７】
本発明の請求項１に係る取付構造は、表裏を貫通する貫通部が形成された板部分を有する被取付手段と、前記被取付手段の表面に取り付けられる基部を有する取付手段であって、前記板部分の厚さ方向から見て、一方向の一方側の部分には固定手段によって前記表面側から前記被取付手段に固定されている固定部が形成され、前記一方向の他方側の部分には前記基部から前記貫通部を通して前記板部分の裏面側に配置されて前記裏面に押し付けられている押付部が形成されている取付手段と、を備えることを特徴とする。
【０００８】
本発明の請求項２に係る取付構造は、請求項１に記載の取付構造において、前記取付手段は、前記一方向に延びており、前記押付部には、前記裏面と接触する接触部が形成されており、前記接触部は、前記一方向に対して交差する交差方向において、少なくとも前記押付部の一方側の部分及び他方側の部分に配置されていることを特徴とする。
【０００９】
本発明の請求項３に係る取付構造は、請求項２に記載の取付構造において、前記接触部は、前記交差方向に延びていることを特徴とする。
【００１０】
本発明の請求項４に係る取付構造は、請求項１〜３の何れか１項に記載の取付構造において、前記押付部には、前記被取付手段側に突出している突出部が形成されており、前記被取付手段には、前記貫通部側が開放されると共に前記突出部が配置され、前記一方向に対して交差する交差方向における前記突出部の位置を規制する溝部が形成されていることを特徴とする。
【００１１】
本発明の請求項５に係る取付構造は、請求項４に記載の取付構造において、前記被取付手段には、前記取付手段を前記一方向の一方側から他方側へ移動させて前記突出部を前記溝部に配置させる場合に、前記突出部を前記溝部に案内する案内部が形成されていることを特徴とする。
【００１２】
本発明の請求項６に係る取付構造は、請求項４又は５に記載の取付構造において、前記押付部は、前記板部分の前記裏面に板面が対向した板状であると共に上面に前記突出部が形成された本体部と、前記本体部の下面から突出すると共に前記厚さ方向から見て前記溝部の溝幅と比して大きくされた他の突出部とを備えることを特徴とする。
【００１３】
本発明の請求項７に係る取付構造は、請求項４〜６の何れか１項に記載の取付構造において、前記取付手段の前記固定部には、前記被取付手段の表面側を向いた凹部又は凸部が形成されており、前記被取付手段には、前記取付手段の凹部又は凸部と嵌め合う凸部又は凹部が形成されていることを特徴とする。
【００１４】
本発明の請求項８に係る取付構造は、請求項７に記載の取付構造において、前記取付手段の前記突出部が前記被取付手段の前記溝部に配置され、前記取付手段の前記固定部が、前記厚さ方向で前記被取付手段から離間した状態で、前記取付手段の前記固定部を前記被取付手段に近接させる場合に、前記固定部に形成された凹部又は凸部が、前記被取付手段の凸部又は凹部と嵌め合うように、前記固定部の前記交差方向における移動を制限する制限手段を備えることを特徴とする。
【００１５】
本発明の請求項９に係る取付構造は、請求項８に記載の取付構造において、前記制限手段は、前記取付手段において前記一方向の中央側の部分に形成され、前記被取付手段側に突出する突起と、前記被取付手段に形成され、前記突起が挿入される挿入孔とを備え、
前記突起の前記挿入孔への挿入量は、前記固定部に形成された凹部又は凸部が、前記被取付手段の凸部又は凹部と嵌め合う嵌合量と比して、多いことを特徴とする。
【００１６】
本発明の請求項１０に係る画像形成装置は、画像を形成する画像形成手段を備え、前記取付手段は、前記画像形成手段に作用する機能部品であって、前記機能部品が前記被取付手段に請求項１〜８の何れか１項に取付構造によって取り付けられていることを特徴とする。
【００１７】
本発明の請求項１１に係る画像形成装置は、請求項１０に記載の画像形成装置において、各部を制御する制御基板を備え、前記機能部品は、前記制御基板の板面に沿って空気の流れを生じさせるファンであることを特徴とする。
【発明の効果】
【００１８】
本発明の請求項１の取付構造によれば、取付手段の一方向の他方側の差込部が被取付手段に形成された差込口に差し込まれ、取付手段の一方向の一方側の固定部が被取付手段に固定されることで取付手段が、被取付手段に取り付けられる場合と比して、取付手段が被取付手段に対してがたつくのを抑制することができる。
【００１９】
本発明の請求項２の取付構造によれば、接触部が交差方向において押付部の中央側の部分にだけ配置されている場合と比して、交差方向にがたつくのを抑制することができる。
【００２０】
本発明の請求項３の取付構造によれば、接触部が交差方向において押付部の一方側の部分及び他方側の部分にだけ配置されている場合と比して、取付手段の姿勢を安定させることができる。
【００２１】
本発明の請求項４の取付構造によれば、押付部において板部分の裏面側を向いた部分が平面だけで形成されている場合と比して、板部分の裏面において押付部が押し付けられる位置がばらつくのを抑制することができる。
【００２２】
本発明の請求項５の取付構造によれば、取付手段を一方向の一方側から他方側へ移動させて突出部を溝部に配置する場合に、目視だけで突出部を溝部に移動させる場合と比して、突出部を溝部に容易に配置することができる。
【００２３】
本発明の請求項６の取付構造によれば、本体部の下面が平面だけで形成されている場合と比して、取付手段を被取付手段に誤って取り付けたことを容易に気付くことができる。
【００２４】
本発明の請求項７の取付構造によれば、取付手段を被取付手段に位置決めすることができる。
【００２５】
本発明の請求項８の取付構造によれば、取付手段の突出部が被取付手段の溝部に配置された状態で、取付手段の固定部を被取付手段に近接させるときに、固定部の交差方向における移動が自由である場合と比して、固定部に形成された凹部又は凸部を、被取付手段の凸部又は凹部に容易に嵌め合わせることができる。
【００２６】
本発明の請求項９の取付構造によれば、突起の挿入孔への挿入量が、固定部の凹部又は凸部が被取付手段の凸部又は凹部と嵌め合う嵌合量に対して少ない場合と比して、固定部に形成された凹部又は凸部を、被取付手段の凸部又は凹部に容易に嵌め合わせることができる。
【００２７】
本発明の請求項１０の画像形成装置によれば、機能部品の一方向の一方側の固定部が被取付手段に固定され、機能部品の一方向の他方側の差込部が被取付手段に形成された差込口に差し込まれることで取付手段が、被取付手段に取り付けられる場合と比して、機能部品ががたつくのを抑制することができる。
【００２８】
本発明の請求項１１の画像形成装置によれば、機能部品の一方向の一方側の固定部が被取付手段に固定され、機能部品の一方向の他方側の差込部が被取付手段に形成された差込口に差し込まれることで取付手段が、被取付手段に取り付けられる場合と比して、ファンからの振動音の発生を抑制することができる。
【図面の簡単な説明】
【００２９】
【図１】本発明の実施形態に係る取付構造に用いられるファン、及び収容体の一部を示した背面図である。
【図２】本発明の実施形態に係る取付構造に用いられるファン、及び収容体の一部を示し、ファンを収容体に取り付ける工程を示した工程図である。
【図３】本発明の実施形態に係る取付構造に用いられるファン、及び収容体の一部を示し、ファンを収容体に取り付ける工程を示した工程図である。
【図４】本発明の実施形態に係る取付構造に用いられるファン、及び収容体の一部を示した斜視図である。
【図５】本発明の実施形態に係る取付構造に用いられるファン、及び収容体の一部を示し、ファンを収容体に取り付ける工程を示した工程図である。
【図６】本発明の実施形態に係る取付構造に用いられるファン、及び収容体の一部を示し、ファンを収容体に取り付ける工程を示した工程図である。
【図７】本発明の実施形態に係る取付構造に用いられるファンを示し、斜め上方から見た斜視図である。
【図８】本発明の実施形態に係る取付構造に用いられるファンを示し、斜め下方から見た斜視図である。
【図９】本発明の実施形態に係る取付構造に用いられる収容体の上板を示した斜視図である。
【図１０】本発明の実施形態に係る取付構造に用いられるファンの押付部を示した背面図である。
【図１１】（Ａ）（Ｂ）（Ｃ）本発明の実施形態に係る取付構造の一部を示した断面図、及び平面図である。
【図１２】本発明の実施形態に係る取付構造に用いられるファン、及び収容体を示した断面図である。
【図１３】本発明の実施形態に係る取付構造に用いられるファン、及び収容体を示した斜視図断である。
【図１４】本発明の実施形態に係る画像形成装置のトナー画像形成部を示した構成図である。
【図１５】本発明の実施形態に係る画像形成装置を示した概略構成図である。
【図１６】本発明の実施形態に対する比較形態に係る取付構造に用いられるファン、及び収容体の一部を示した背面図である。
【図１７】本発明の実施形態に対する比較形態に係る取付構造に用いられるファン、及び収容体の一部を示し、ファンを収容体に取り付ける工程を示した工程図である。
【図１８】本発明の実施形態に対する比較形態に係る取付構造に用いられるファンを示し、上方から見た斜視図である。
【図１９】本発明の実施形態に対する比較形態に係る取付構造に用いられるファンを示し、下方から見た斜視図である。
【図２０】本発明の実施形態に対する比較形態に係る取付構造に用いられる収容体を示した斜視図である。
【発明を実施するための形態】
【００３０】
本発明の実施形態に係る取付構造、画像形成装置一例について図１〜図２０に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００３１】
（全体構成）
画像形成装置１０は、図１５に示されるように、各部材を収容する筐体１０ａと、電子写真方式により画像を形成する画像形成部１２と、記録媒体としてのシート部材Ｐが積載される３個の積載部１４と、シート部材Ｐの搬送経路１６に沿ってシート部材Ｐを搬送する複数の搬送部材（符号省略）とを備えている。さらに、画像形成装置１０は、シート部材Ｐの両面に画像を形成させる（両面印刷）ために、表面に画像が形成されたシート部材Ｐの表裏を反転させて再度画像形成部１２へ向けて搬送する反転経路２６を備えている。
【００３２】
また、画像形成部１２は、各色のトナー画像を夫々形成する複数のトナー画像形成部３０と、トナー画像形成部３０で形成されたトナー画像をシート部材Ｐに転写する転写部３２とを備えている。さらに、画像形成部１２は、転写部３２によってシート部材Ｐに転写されたトナー画像をシート部材Ｐに定着する定着部３４を備えている。画像形成部１２は、画像形成手段の一例である。
【００３３】
〔トナー画像形成部３０〕
トナー画像形成部３０は、色ごとにトナー画像を形成するように複数備えられている。本実施形態では、イエロー（Ｙ）、マゼンタ（Ｍ）、シアン（Ｃ）、ブラック（Ｋ）の計４色のトナー画像形成部３０が設けられている。図１５に示す（Ｙ）、（Ｍ）、（Ｃ）、（Ｋ）は、上記各色を示している。なお、以後の説明では、イエロー（Ｙ）、マゼンタ（Ｍ）、シアン（Ｃ）、及びブラック（Ｋ）を区別する必要が無い場合は、符号に付するＹ、Ｍ、Ｃ、及びＫを省略する。
【００３４】
各色のトナー画像形成部３０は、用いるトナーを除き基本的に同様に構成されており、図１４に示されるように、回転する円筒状の像保持体４０と、像保持体４０を帯電する帯電器４２とを備えている。さらに、トナー画像形成部３０は、帯電した像保持体４０に露光光を照射して静電潜像を形成する露光装置４４と、トナーを含んだ現像剤Ｇで静電潜像をトナー画像として現像する現像装置４６とを備えている。
【００３５】
また、各色の像保持体４０は、図１５に示されるように、後述する無端状の転写ベルト５０に接触している。そして、転写ベルト５０の周回方向（図中矢印参照）において、上流側からイエロー（Ｙ）、マゼンタ（Ｍ）、シアン（Ｃ）、及びブラック（Ｋ）のトナー画像形成部３０が、この順番で水平方向に並んで配置されている。そして、各色のトナー画像形成部３０では、各色のトナーを用いて各色の画像を形成するようになっている。
【００３６】
〔転写部３２〕
転写部３２は、図１５に示されるように、複数のロール（符号省略）に巻き掛けられて図中矢印方向に周回する転写ベルト５０と、各色の像保持体４０に形成されたトナー画像を転写ベルト５０に転写する各色の一次転写ロール５２とを備えている。
【００３７】
一次転写ロール５２は、転写ベルト５０を挟んで像保持体４０の反対側に配置されている。さらに、転写部３２は、転写ベルト５０に転写されたトナー画像をシート部材Ｐに転写する二次転写ロール５４を備えている。これにより、二次転写ロール５４と転写ベルト５０との間には、シート部材Ｐにトナー画像を転写する転写ニップＮＴが形成されている。
【００３８】
〔その他〕
さらに、画像形成装置１０は、各部材を制御する制御基板６０と、内部に制御基板６０を収容する収容体６４と、制御基板６０を冷却するためのファン１００とを備えている。なお、制御基板６０、収容体６４、及びファン１００については、詳細を後述する。
【００３９】
（要部構成）
次に、制御基板６０、内部に制御基板６０を収容する収容体６４、及び制御基板６０を冷却するためのファン１００について説明する。さらに、ファン１００を収容体６４に取り付ける取付構造２００について説明する。
【００４０】
〔制御基板６０〕
制御基板６０は、図１５に示されるように、トナー画像形成部３０Ｋの装置奥行方向の奥側に配置されている。制御基板６０の板面は、装置奥行方向を向いており、装置奥行方向から見て、制御基板６０は、矩形状とされている。
【００４１】
〔収容体６４〕
収容体６４は、図１３に示されるように、内部に制御基板６０を収容する箱型形状とされている。収容体６４は、被取付手段の一例である。
【００４２】
収容体６４は、制御基板６０に対して装置奥行方向の奥側に配置され、板面が装置奥行方向を向いた奥板６４ａと、制御基板６０に対して装置奥行方向の手前側に配置され、板面が装置奥行方向を向いた手前板６４ｂとを有している。さらに、収容体６４は、奥板６４ａの縁部と手前板６４ｂの縁部とを連結する矩形筒状の枠体６４ｃを備えている。また、奥板６４ａには、複数の貫通孔６５が形成されている。
【００４３】
そして、制御基板６０は、図１２に示されるように、収容体６４の内部で、手前板６４ｂ側に配置され、図示せぬ支持部材によって支持されている。
【００４４】
また、枠体６４ｃは、上方を向いた上板６６を有しており、ファン１００は、この上板６６の表面６６ａ（収容体６４の内部側を向いた裏面６６ｂに対して反対側の面）に取り付けられている。上板６６は、上方から見て、装置幅方向に延びている矩形状とされている（図１３参照）。上板６６は、板部分の一例である。
【００４５】
上板６６には、図９に示されるように、貫通部６８、溝部７０、及び案内部７２が形成されている。さらに、上板６６には、固定孔７６、凸部７８及び挿入孔８２が形成されている。
【００４６】
−貫通部６８、溝部７０、案内部７２−
貫通部６８、溝部７０、及び案内部７２は、図９に示されるように、上板６６の表裏を貫通して形成されている。貫通部６８、案内部７２、及び溝部７０は、繋がっており、この順番で、装置幅方向の一方側（図中左側）から他方側（図中右側）へ並んでいる。
【００４７】
貫通部６８は、上方から見て、装置幅方向に延びている矩形状とされている。また、案内部７２は、上方から見て、貫通部６８の短辺を仮想の下辺７２ａとする等脚台形状とされている。
【００４８】
さらに、溝部７０は、上方から見て、貫通部６８側が開放されており、Ｕ字状の縁部で囲まれている。つまり、溝部７０は、Ｕ字状の凹部であって、案内部７２の仮想の上辺７２ｂと、装置幅方向に延びている一対の直線部７０ａと、一対の直線部７０ａの端部を接続する円弧状の円弧部７０ｂとで囲まれた部分である。
【００４９】
−固定孔７６、凸部７８−
固定孔７６は、図９に示されるように、装置幅方向において、貫通部６８を挟んで溝部７０の反対側で、上板６６の表裏を貫通して形成されている。固定孔７６は、円形状とされ、固定孔７６の裏面６６ｂ側の部分には溶接ナット９０（図１参照）が取り付けられている。
【００５０】
凸部７８は、装置幅方向において、固定孔７６と貫通部６８との間に形成されている。凸部７８は、上板６６の表面６６ａから突出した円盤状の円盤部７８ａと、円盤部７８ａの天面の全体から突出した球面状の球面部７８ｂとを有している。
【００５１】
−挿入孔８２−
挿入孔８２は、図９に示されるように、貫通部６８の長手方向の中央側部分（固定孔７６と溝部７０との間）に対して、装置奥行方向の奥側で、上板６６の表裏を貫通して形成されている。挿入孔８２は、上方から見て、装置幅方向に延びている矩形状とされている。挿入孔８２の長手方向の長さは、貫通部６８の長手方向の長さと比して短くされており、挿入孔８２の幅方向の長さは、貫通部６８の幅方向の長さと比して短くされている。
【００５２】
〔ファン１００〕
ファン１００は、図４に示されるように、収容体６４の上板６６の表面６６ａに取り付けられている。ファン１００は、取付手段、及び機能部品の一例である。
【００５３】
ファン１００は、装置幅方向（一方向の一例）に延びており、複数の羽根１０２ａを有して回転する回転部１０２、回転部１０２を支持する本体部１０４、及び内部が空洞化されたダクト部１０６を有している。さらに、ファン１００は、ファン１００を収容体６４に取り付けるために用いられる固定部１１６、押付部１２６、及び突起１５０を有している。ダクト部１０６は、基部の一例である。
【００５４】
−回転部１０２、本体部１０４、ダクト部１０６−
複数の羽根１０２ａを有する回転部１０２の軸方向は、図４に示されるように、装置奥行方向を向いている。本体部１０４は、回転部１０２を回転部１０２の径方向側から囲むように形成されており、前述したように回転部１０２を支持している。
【００５５】
ダクト部１０６は、樹脂材料を用いて一体的に形成されており、本体部１０４の装置奥行方向の手前側に配置されて本体部１０４を支持している支持部１０８と、上方から貫通部６８を覆っているカバー部１１０とを有している。具体的には、このカバー部１１０において貫通部６８側を向いた開口縁１１０ａ（図８参照）は、上板６６の表面６６ａと接触しており、貫通部６８を覆うように装置幅方向に延びた矩形状とされている。また、開口縁１１０ａの一部は、上板６６に形成された挿入孔８２（図９参照）と対向している。
【００５６】
このように、このカバー部１１０において貫通部６８側を向いた開口縁１１０ａと上板６６の表面６６ａとが接触することで、上下方向において、上板６６に対するファン１００の位置が決まるようになっている。つまり、カバー部１１０の開口縁１１０ａと上板６６の表面６６ａとは、上下方向において、上板６６に対するファン１００の位置を決めるための位置決め手段として機能している。
【００５７】
この構成において、図１２に示すファン１００を稼動させて回転部１０２を回転させると、収容体６４の内部の空気をファン１００側へ吸引する吸引力が作用する。これにより、収容体６４の内部の空気が、貫通部６８を通ってファン１００のカバー部１１０に流入する。さらに、カバー部１１０に流入した空気は、支持部１０８に流入し、支持部１０８に流入した空気は、回転部１０２からファン１００の外部へ排出される（図中矢印参照）。
【００５８】
また、収容体６４の内部の空気がファン１００によって吸引されることで、奥板６４ａに形成された貫通孔６５から空気が収容体６４の内部に流入する。これにより、貫通孔６５から収容体６４の内部に流入した空気が制御基板６０の板面に沿って流れることで、制御基板６０が冷却される。
【００５９】
−固定部１１６−
固定部１１６は、板状とされ、樹脂材料を用いてダクト部１０６と一体的に形成されており、図７、図８に示されるように、ファン１００の装置幅方向の一方側の部分に形成されている。換言すると、この固定部１１６は、ダクト部１０６の装置奥行方向の一方側に張り出している。
【００６０】
また、固定部１１６の板面は、上下方向を向いており、固定部１１６は、上方を向いた上面１１６ａと下方を向いた下面１１６ｂとを有している。ファン１００が収容体６４に取り付けられた状態で、下面１１６ｂが、上板６６の表面６６ａと面で接触している（図１参照）。
【００６１】
また、固定部１１６において上板６６に形成された固定孔７６（図９参照）と対向する位置には、表裏を貫通した円状の貫通孔１１６ｃが形成されている。
【００６２】
さらに、固定部１１６において貫通孔１１６ｃに対してダクト部１０６側の部分で、かつ、上板６６の表面６６ａから突出した凸部７８（図９参照）と対向する位置には、断面円状の凹部１１６ｄが形成されている。具体的には、上方から見た固定部１１６の凹部１１６ｄの内径と、上方から見た上板６６の凸部７８の外径とは同様とされており、かつ、凹部１１６ｄの凹み量は、凸部７８の突出量と比して大きくされている。これにより、図１１（Ａ）に示されるように、凹部１１６ｄと凸部７８とは嵌め合っており、上板６６に形成された凸部７８と固定部１１６に形成された凹部１１６ｄとの嵌合量（凹部１１６ｄと凸部７８とが上下方向で重なっている量）は、図中Ｓ２とされている。この構成により、凹部１１６ｄの収容体６４に対する装置奥行方向及び装置幅方向の位置が規制されている。換言すると、凹部１１６ｄの収容体６４に対する装置奥行方向及び装置幅方向の位置が決められている。
【００６３】
このように、凹部１１６ｄの収容体６４に対する装置奥行方向及び装置幅方向の位置が決められることで、装置奥行方向及び装置幅方向において、ファン１００における凹部１１６ｄの収容体６４に対する位置が決まるようになっている。つまり、凹部１１６ｄと凸部７８とは、装置奥行方向及び装置幅方向において、ファン１００における凹部１１６ｄの収容体６４に対する位置を決めるための位置決め手段として機能している。
【００６４】
この構成において、図１、図１１（Ａ）に示されるように、凹部１１６ｄと凸部７８とを嵌め合せ、固定手段としてのボルト２１０を固定部１１６の貫通孔１１６ｃ及び上板６６の固定孔７６に通して溶接ナット９０に締め込む。これにより、固定部１１６は、上板６６の表面６６ａ側から収容体６４に固定される。
【００６５】
−押付部１２６−
押付部１２６は、樹脂材料を用いてダクト部１０６と一体的に形成されており、図７、図８に示されるように、ファン１００の装置幅方向の他方側の部分に形成されている。換言すると、押付部１２６は、ダクト部１０６の装置奥行方向の他方側に張り出している。また、押付部１２６は、ダクト部１０６から上板６６の貫通部６８を通して上板６６の裏面６６ｂ側に配置されており、本体部１２８、接触部１３２、突出部１３６、及び突出部１４０を有している。突出部１４０は、他の突出部の一例である。
【００６６】
本体部１２８は、板状とされており、図１に示されるように、収容体６４の内部に配置されており、板面が上板６６の裏面６６ｂに対向しており、上方から見て、装置幅方向に延びている矩形状とされている（図１１（Ｃ）参照）。この本体部１２８は、上方を向いた上面１２８ａと下方を向いた下面１２８ｂとを有している。そして、本体部１２８のダクト部１０６側の部分は、上方側に屈曲してダクト部１０６の開口縁１１０ａに接続されている。
【００６７】
また、接触部１３２は、一対設けられ、図１、図７に示されるように、本体部１２８の上面１２８ａにおいてダクト部１０６とは離れた部分に形成されている。具体的には、夫々の接触部１３２は、本体部１２８の上面１２８ａから突出して、装置奥行方向において上面１２８ａの一端側の部分から他端側の部分へ、装置幅方向（一方向の一例）に対して交差している装置奥行方向（交差方向の一例）に延びている。そして、一対の接触部１３２は、装置幅方向に並んでいる。本実施形態では、接触部１３２の突出量は、一例として、０．７〔ｍｍ〕とされている。
【００６８】
ここで、装置奥行方向における上面１２８ａの一端側の部分とは、装置奥行方向における上面１２８ａの長さを１００とすると、装置奥行方向において上面１２８ａの一端からの２０までの領域である。また、装置奥行方向における上面１２８ａの他端側の部分とは、装置奥行方向における上面１２８ａの長さを１００とすると、装置奥行方向において上面１２８ａの他端からの２０までの領域である。
【００６９】
この構成において、図１０に示されるように、接触部１３２が上板６６の裏面６６ｂに接触することで、本体部１２８におけるダクト部１０６側の部分（図中Ｍ１）が弾性変形する。これにより、接触部１３２が裏面６６ｂに押し付けられている。なお、ダクト部１０６側の接触部１３２が裏面６６ｂに押し付けられる力によって、接触部１３２が圧縮される。これにより、夫々の接触部１３２が、裏面６６ｂに接触する。
【００７０】
このように、接触部１３２が裏面６６ｂに押し付けられていることで、装置幅方向におけるファン１００の他方側の部分が、上板６６の板厚方向（上下方向）にがたつくのが抑制される。つまり、裏面６６ｂに押し付けられている接触部１３２は、がたつき抑制手段として機能している。
【００７１】
また、突出部１３６は、十字状であって、図７に示されるように、本体部１２８の上面１２８ａにおいて接触部１３２とダクト部１０６との間に形成されている。具体的には、突出部１３６は、上面１２８ａから上方へ突出しており、板面が装置幅方向を向いた板部１３６ａと、板面が装置奥行方向を向いた板部１３６ｂとを有している。そして、突出部１３６は、上板６６に形成された溝部７０を通して上板６６の表面６６ａ側に突出している（図４参照）。
【００７２】
この突出部１３６の板部１３６ａが、上方から見て、図１１（Ｃ）に示されるように、上板６６の溝部７０を形成する一対の直線部７０ａに装置奥行方向から挟まれることで、装置奥行方向において、突出部１３６の収容体６４に対する位置が規制されている。換言すれば、装置奥行方向において、突出部１３６の収容体６４に対する位置が決められている。なお、突出部１３６の板部１３６ｂと、溝部７０を形成する円弧部７０ｂとは、装置幅方向で離間している。
【００７３】
このように、装置奥行方向において、ファン１００における突出部１３６の収容体６４に対する位置が決められている。つまり、突出部１３６と溝部７０とは、装置奥行方向において、突出部１３６の収容体６４に対する位置を決めるための位置決め手段として機能している。
【００７４】
また、突出部１４０は、十字状であって、図８に示されるように、本体部１２８の下面１２８ｂに形成されている。具体的には、突出部１４０は、下面１２８ｂから下方へ突出しており、板面が装置幅方向を向いた板部１４０ａと、板面が装置奥行方向を向いた板部１４０ｂとを有している。
【００７５】
この突出部１４０の板部１４０ａの装置奥行方向における両端部分は、上方から見て、図１１（Ｃ）に示されるように、装置奥行方向において溝部７０の両端から突出している。
【００７６】
このように、上方から見て、突出部１４０が、溝部７０から突出することで、本体部１２８を上板６６の表面６６ａ側に配置してしまうと、突出部１４０と上板６６の表面６６ａとが接触して、本体部１２８が上板６６から大きく浮いてしまう。このように、本体部１２８が上板６６から大きく浮くことで、作業者は、ファン１００を収容体６４に誤って配置したことに容易に気付く。つまり、突出部１４０は、ファン１００を収容体６４に誤って配置したことを、容易に気付かせる誤組防止手段として機能している。
【００７７】
〔突起１５０〕
突起１５０は、図７、図８に示されるように、ファン１００において装置奥行方向の中央側の部分で、カバー部１１０の開口縁１１０ａから収容体６４側（図１参照）に突出している。具体的には、突起１５０は、開口縁１１０ａにおいて上板６６に形成された挿入孔８２（図９参照）と対向している部分から下方へ突出している。また、突起１５０は、板面が装置奥行方向を向いた板状であって、装置奥行方向から見て、開口縁１１０ａ側が下底とされた等脚台形状とされている。そして、突起１５０の基端の長さ及び幅は、挿入孔８２（図９参照）の長さ及び幅と比して小さくされており、突起１５０は、挿入孔８２に挿入されている。
【００７８】
この突起１５０は、図１１（Ｂ）に示されるように、装置奥行方向及び装置幅方向において、挿入孔８２を形成する縁部８２ａから離間している。また、突起１５０の挿入孔８２への挿入量（図１のＳ１）は、上板６６に形成された凸部７８と固定部１１６に形成された凹部１１６ｄとの嵌合量（図１１（Ａ）のＳ２）と比して、多くされている。挿入量とは、上板６６の表面６６ａから突起１５０の下端までの上下方向の長さである。
【００７９】
この構成において、図６に示されるように、ファン１００の突出部１３６を上板６６の溝部７０に配置し、ファン１００の固定部１１６を上板６６から離間した状態とする。この状態から、固定部１１６を上板６６に近接させると、固定部１１６の凹部１１６ｄと凸部７８とが嵌め合う前に、図５に示されるように、突起１５０の一部が挿入孔８２に挿入される。これにより、固定部１１６の装置奥行方向における移動が制限され、固定部１１６の凹部１１６ｄと凸部７８とが嵌め合わされる。
【００８０】
このように、突起１５０と挿入孔８２とで、固定部１１６の凹部１１６ｄと凸部７８とが嵌め合うように、固定部１１６の装置奥行方向における移動を制限する制限部１５２が構成されている。制限部１５２は、制限手段の一例である。
【００８１】
突起１５０と挿入孔８２とでファン１００の装置奥行方向における移動を制限する観点から、装置奥行方向における突起１５０と挿入孔８２と離間距離（図１１（Ｂ）に示すＬ１）は、小さい程好ましい。一方、突起１５０を挿入孔８２へ挿入される作業性を向上させる観点から離間距離Ｌ１は、大きい程好ましい。この２個の観点から、離間距離Ｌ１は、０．２〔ｍｍ〕以上１．０〔ｍｍ〕以下が好ましく、０．３〔ｍｍ〕以上０．８〔ｍｍ〕以下がより好ましく、０．４〔ｍｍ〕以上０．６〔ｍｍ〕以下が特に好ましい。
【００８２】
このように、ファン１００を収容体６４に取り付ける取付構造２００は、貫通孔１１６ｃ及び凹部１１６ｄが形成された固定部１１６を有している。また、取付構造２００は、本体部１２８、接触部１３２、突出部１３６及び突出部１４０が形成された押付部１２６を有している。さらに、取付構造２００は、貫通部６８、溝部７０、案内部７２、凸部７８、挿入孔８２及び固定孔７６が形成された収容体６４の上板６６を有している。また、取付構造２００は、ファン１００のダクト部１０６に形成された突起１５０、ボルト２１０、及び溶接ナット９０を有している。
【００８３】
（作用）
次に、ファン１００を収容体６４に取り付ける取付構造２００を、ファン１００を収容体６４に取り付ける取付作業と共に説明する。本実施形態に係る取付構造２００を説明する前に、比較形態に係るファン５００を比較形態に係る収容体４６４に取り付ける取付構造を、ファン５００を収容体４６４に取り付ける取付作業と共に説明する。先ず、比較形態に係る収容体４６４及びファン５００の構成について説明する。なお、収容体４６４及びファン５００の構成については、本実施形態に係る収容体６４及びファン１００の構成と異なる部分を主に説明する。
【００８４】
〔収容体４６４〕
収容体４６４は、図２０に示されるように、上方を向いた上板６６を有している。さらに、上板６６には、表裏を貫通する貫通部６８、固定孔７６、及び差込口４８０が形成されている。
【００８５】
−差込口４８０−
差込口４８０は、装置幅方向において、貫通部６８を挟んで固定孔７６の反対側で、貫通部６８側が開口している。具体的には、装置奥行方向から見て階段状の階段材４８２が設けられており、階段材４８２は、板材を折り曲げて形成されている。この階段材４８２は、上板６６の表面に固定された基板４８２ａと、上板６６と上下方向で離間した離間板４８２ｂと、離間板４８２ｂの端部と基板４８２ａの端部とを連結する連結板４８２ｃとを有している。そして、上板６６の表面６６ａと離間板４８２ｂとの間の空間が、差込口４８０とされている。また、離間板４８２ｂにおいて貫通部６８側の部分は、上方に折り曲げられている。
【００８６】
〔ファン５００〕
ファン５００は、図１８、図１９に示されるように、回転部１０２、本体部１０４、及びダクト部１０６を有している。さらに、ファン５００は、ファン５００を収容体６４に取り付けるために用いられる固定部５１６、及び差込部５２６を有している。
【００８７】
−固定部５１６−
固定部５１６は、板状とされ、樹脂材料を用いてダクト部１０６と一体的に形成されており、図１８、図１９に示されるように、ファン５００の装置幅方向の一方側の部分に形成されている。
【００８８】
また、固定部５１６は、上方を向いた上面５１６ａと下方を向いた下面５１６ｂとを有している。ファン５００が収容体４６４に取り付けられた状態で、下面５１６ｂが、上板６６の表面６６ａと面で接触している（図１６参照）。さらに、固定部１１６において上板６６に形成された固定孔７６（図２０参照）と対向する位置には、表裏を貫通した円状の貫通孔５１６ｃが形成されている。
【００８９】
この構成において、ボルト２１０を固定部５１６の貫通孔５１６ｃ及び上板６６の固定孔７６に通して溶接ナット９０に締め込む。これにより、固定部５１６は、上板６６の表面６６ａ側から収容体４６４に固定される。
【００９０】
−差込部５２６−
差込部５２６は、板状とされ、樹脂材料を用いてダクト部１０６と一体的に形成されており、図１８、図１９に示されるように、ファン５００の装置幅方向の他方側の部分に形成されている。
【００９１】
この差込部５２６は、上方を向いた上面５２６ａと下方を向いた下面５２６ｂとを有している。そして、差込部５２６は、収容体４６４の差込口４８０に差し込まれるようになっている（図１６参照）。
【００９２】
〔ファン５００を収容体４６４に取り付ける取付作業〕
ファン５００を収容体４６４に取り付ける場合には、先ず、図１７に示されるように、ファン５００を上板６６の表面６６ａに載せる。具体的には、ファン５００の差込部５２６が、差込口４８０に対して装置幅方向の一方側に配置され、かつ、ファン５００の固定部５１６の貫通孔５１６ｃが、上板６６の固定孔７６に対して装置幅方向の一方側に配置されるように、ファン５００を上板６６に載せる。
【００９３】
次に、図１６に示されるように、ファン５００を装置奥行方向の他方側へ移動させ、ファン５００の差込部５２６を差込口４８０へ差し込む。さらに、目視で、ファン５００の固定部５１６の貫通孔５１６ｃと、上板６６の固定孔７６とを合せる（重ねる）。
【００９４】
この状態で、ボルト２１０を固定部５１６の貫通孔５１６ｃ及び上板６６の固定孔７６に通して溶接ナット９０に締め込む。これにより、固定部５１６が上板６６の表面６６ａ側から収容体４６４に固定されることで、ファン５００は、収容体４６４に取り付けられる。
【００９５】
〔ファン１００を収容体６４に取り付ける取付作業〕
ファン１００を収容体６４に取り付ける場合には、先ず、ファン１００を上板６６の表面６６ａ側から上板６６へ近接させ、図３、図６に示されるように、押付部１２６の本体部１２８を貫通部６８から収容体６４の内部に差し差し込む。そして、突出部１３６を溝部７０に配置させる。具体的には、突出部１３６を貫通部６８側から溝部７０へ移動させることで、案内部７２を構成する縁部に突出部１３６を接触させて突出部１３６を溝部７０へ案内させ、突出部１３６を溝部７０に配置させる。
【００９６】
突出部１３６を溝部７０に配置させることで、装置奥行方向において、突出部１３６の収容体６４に対する位置が規制される。換言すると、装置奥行方向において、突出部１３６の収容体６４に対する位置が決められる。また、この状態で、ファン１００の突起１５０及び固定部１１６は、上板６６と上下方向で離間している。
【００９７】
次に、ファン１００の固定部１１６を上板６６へ近接させ、図２、図５に示されるように、ファン１００の突起１５０の一部を、上板６６に形成された挿入孔８２に挿入させる。これにより、固定部１１６の凹部１１６ｄと、上板６６の凸部７８とが嵌め合うように、固定部１１６の装置奥行方向における移動が制限される。この状態で、固定部１１６の凹部１１６ｄと、上板６６の凸部７８とが上下方向で離間している。
【００９８】
次に、ファン１００の固定部１１６を上板６６へさらに近接させ、図１、図４に示されるように、固定部１１６の凹部１１６ｄと上板６６の凸部７８とを嵌め合せ、固定部１１６の下面１１６ｂを上板６６の表面６６ａに接触させる。これにより、カバー部１１０の開口縁１１０ａと上板６６の表面６６ａとが接触する。
【００９９】
固定部１１６の凹部１１６ｄと上板６６の凸部７８とを嵌め合わせることで（図１１（Ａ）参照）、装置奥行方向及び装置幅方向において、凹部１１６ｄの収容体６４に対する位置が規制される。換言すると、装置奥行方向及び装置幅方向において、凹部１１６ｄの収容体６４に対する位置が決められる。また、カバー部１１０の開口縁１１０ａと上板６６の表面６６ａとが接触することで、上下方向において、ファン１００の収容体６４の上板６６に対する位置が規制される。さらに、前述したように、装置奥行方向において、突出部１３６の収容体６４に対する位置が規制されている。
【０１００】
以上より、ファン１００の収容体６４に対する装置上下方向、装置奥行方向及び装置幅方向の位置が決められる。これにより、ファン１００の固定部１１６の貫通孔１１６ｃと、上板６６の固定孔７６とが重なる。
【０１０１】
また、この状態で、図１０に示されるように、押付部１２６の本体部１２８のダクト部１０６側の部分Ｍ１が弾性変形することで、接触部１３２が裏面６６ｂに押し付けられる。
【０１０２】
さらに、図１に示されるように、ボルト２１０を固定部１１６の貫通孔１１６ｃ及び上板６６の固定孔７６に通して溶接ナット９０に締め込む。これにより、固定部１１６が上板６６の表面６６ａ側から収容体６４に固定されることで、ファン１００は、収容体６４に取り付けられる。なお、上記動作については、一連の動作とすることができる。
【０１０３】
（まとめ）
以上説明したように、比較形態に係るファン５００を収容体４６４に取り付ける取付構造では、ファン５００の装置奥行方向の他側の部分は、ファン５００の差込部５２６が収容体４６４の差込口４８０へ差し込まれることで、上下方向の移動が制限されている。一方、本実施形態に係るファン１００を収容体６４に取り付ける取付構造２００では、ファン１００の装置奥行方向の他側の部分は、ファン１００の押付部１２６に形成された接触部１３２が上板６６の裏面６６ｂに押し付けられることで、上下方向の移動が制限されている。
【０１０４】
これにより、本実施形態の取付構造２００では、比較形態に係る取付構造と比して、ファン１００が収容体６４に対してがたつくのが抑制される。
【０１０５】
また、取付構造２００では、接触部１３２は、押付部１２６の本体部１２８の上面１２８ａに形成され、装置奥行方向に延びている。具体的には、接触部１３２は、装置奥行方向において上面１２８ａの一端側の部分から他端側の部分まで延びている。このため、接触部が装置奥行方向において本体部の中央側の部分にだけ配置されている場合と比して、装置奥行方向にがたつくのが抑制される。
【０１０６】
また、取付構造２００では、前述したように、接触部１３２は、装置奥行方向において上面１２８ａの一端側の部分から他端側の部分まで延びている。接触部が装置奥行方向において本体部の一方側の部分及び他方側の部分にだけ配置されている場合と比して、接触部に作用する圧力が弱くなることで接触部の変形が抑制される。これにより、ファン１００の姿勢が安定する。
【０１０７】
また、取付構造２００では、押付部１２６における本体部１２８の上面１２８ａから突出する突出部１３６の装置奥行方向の位置を規制する溝部７０が上板６６に形成されている。これにより、本体部の上面が平面だけで形成されている場合と比して、上板６６の裏面６６ｂにおいて押付部１２６が押し付けられる位置がばらつくのが抑制される。
【０１０８】
また、取付構造２００では、ファン１００を装置幅方向の一方側から他方側へ移動させる場合に、突出部１３６を溝部７０に案内する案内部７２が上板６６に形成されている。このため、ファン１００を装置幅方向の一方側から他方側へ移動させる場合に、目視だけで突出部を溝部に移動させる場合と比して、突出部１３６が溝部７０に容易に配置される。
【０１０９】
また、取付構造２００では、上方から見て、本体部１２８の下面１２８ｂに形成された突出部１４０が、溝部７０から突出している。そこで、本体部１２８を上板６６の表面６６ａ側に配置してしまうと、突出部１４０と上板６６の表面６６ａとが接触して、本体部１２８が上板６６から大きく浮いてしまう。このように、本体部１２８が上板６６から大きく浮くことで、作業者は、ファン１００を収容体６４に誤って取り付けたことに容易に気付く。これにより、本体部の下面が平面だけで形成されている場合と比して、ファン１００を収容体６４に誤って取り付けたことが容易に気付く。
【０１１０】
また、取付構造２００では、ファン１００において装置幅方向の一方側の固定部１１６には、上板６６に形成された凸部７８と嵌め合う凹部１１６ｄが形成されている。このため、ファン１００が収容体６４に位置決めされる。
【０１１１】
また、取付構造２００では、突出部１３６が溝部７０に配置された状態で、ファン１００の固定部１１６を上板６６へ近接させると、ファン１００の突起１５０の一部が、上板６６の挿入孔８２に挿入される。そして、固定部１１６の凹部１１６ｄと、上板６６の凸部７８とが嵌め合うように、固定部１１６の装置奥行方向における移動が制限される。これにより、突出部１３６が溝部７０に配置された状態で、ファン１００の固定部１１６を上板６６へ近接させるときに、固定部の装置奥行方向における移動が自由である場合と比して、固定部１１６の凹部１１６ｄが、上板６６の凸部７８に容易に嵌め合う。
【０１１２】
また、取付構造２００では、突起１５０の挿入孔８２への挿入量（図１のＳ１）は、上板６６に形成された凸部７８と固定部１１６に形成された凹部１１６ｄとの嵌合量（図１１（Ａ）のＳ２）と比して、多くされている。このため、突起の挿入孔への挿入量が、凸部と凹部との嵌合量に対して少ない場合と比して、凹部１１６ｄが凸部７８に嵌め合う前に、突起１５０が挿入孔８２に挿入されることで、固定部１１６の凹部１１６ｄが、上板６６の凸部７８に容易に嵌め合う。
【０１１３】
また、画像形成装置１０では、比較形態に係る取付構造と比して、ファン１００が収容体６４に対してがたつくのが抑制されことで、ファン１００の寿命（製品ライフサイクル）が短くなるのが抑制される。
【０１１４】
また、画像形成装置１０では、比較形態に係る取付構造と比して、ファン１００のがたつきが抑制されることで、ファンからの振動音の発生が抑制される。
【０１１５】
なお、本発明を特定の実施形態について詳細に説明したが、本発明は係る実施形態に限定されるものではなく、本発明の範囲内にて他の種々の実施形態が可能であることは当業者にとって明らかである。例えば、上記実施形態では、接触部１３２が形成されたが、接触部１３２が形成されなくてもよい。この場合には、接触部１３２が形成されることで奏する作用は奏しない。
【０１１６】
また、上記実施形態では、接触部１３２は、装置奥行方向に延びていたが、接触部が装置奥行方向において本体部１２８の一方側の部分及び他方側の部分にだけ配置されていてもよい。しかし、この場合には、接触部１３２が、装置奥行方向に延びていることで奏する作用は奏しない。
【０１１７】
また、上記実施形態では、固定部１１６に凹部１１６ｄが形成され、上板６６に凸部７８が形成されたが、固定部に凸部が形成され、上板にこの凸部と嵌め合う凹部が形成されてもよい。
【０１１８】
また、上記実施形態では、固定部１１６に凹部１１６ｄが形成され、上板６６に凸部７８が形成されたが、凹部及び凸部が形成されていなくてもよい。この場合には、貫通孔１１６ｃを固定孔７６に目視で合わせなければならない。
【０１１９】
また、上記実施形態では、固定部１１６の装置奥行方向における移動を制限する制限部１５２を備えたが、制限部を備えなくてもよい。この場合には、固定部１１６の凹部１１６ｄを目視で上板６６に凸部７８に嵌め合わせなければならない。
【０１２０】
また、上記実施形態では、特に説明しなかったが、突起１５０の先端の厚さを薄くすることで、突起が容易に挿入孔に挿入される。
【０１２１】
また、上記実施形態では、取付構造２００によって、ファン１００を収容体６４に取り付けたが、取付構造２００を用いて、他の機能部品を取り付けてもよい。例えば、取付構造２００を用いて、センサ等を被取付部材に取り付けてもよい。
【符号の説明】
【０１２２】
１０  画像形成装置
１２  画像形成部（画像形成手段の一例）
６０   制御基板
６４  収容体（被取付手段の一例）
６６  上板（板部分の一例）
６６ａ      表面
６６ｂ      裏面
６８  貫通部
７０  溝部
７２  案内部
７８  凸部
８２  挿入孔
１００      ファン（取付手段、機能部品の一例）
１０６ ダクト部（基部の一例）
１１６      固定部
１１６ｄ  凹部
１２６      押付部
１２８      本体部
１２８ａ  上面
１２８ｂ  下面
１３２      接触部
１３６      突出部
１４０      突出部（他の突出部の一例）
１５０      突起
１５２      制限部（制限手段の一例）
２００      取付構造
２１０      ボルト（固定手段の一例）
【図１】
2020013017.tif 000003
【図２】
2020013017.tif 000004
【図３】
2020013017.tif 000005
【図４】
2020013017.tif 000006
【図５】
2020013017.tif 000007
【図６】
2020013017.tif 000008
【図７】
2020013017.tif 000009
【図８】
2020013017.tif 000010
【図９】
2020013017.tif 000011
【図１０】
2020013017.tif 000012
【図１１】
2020013017.tif 000013
【図１２】
2020013017.tif 000014
【図１３】
2020013017.tif 000015
【図１４】
2020013017.tif 000016
【図１５】
2020013017.tif 000017
【図１６】
2020013017.tif 000018
【図１７】
2020013017.tif 000019
【図１８】
2020013017.tif 000020
【図１９】
2020013017.tif 000021
【図２０】
2020013017.tif 000022